(57)【特許請求の範囲】
【請求項１】
所定の表示内容を印字するための印字領域を有し、各種の仕様を表示する印字用ラベルであって、
前記印字領域には、第１の印字領域と第２の印字領域と第３の印字領域と第４の印字領域とを連接して設け、
前記第２の印字領域に前記第１の印字領域と異なる色の色印刷をあらかじめ施した注意を表示するための第１の色印刷地と、
前記第３の印字領域に前記第１の印字領域と異なる色の色印刷をあらかじめ施した警告を表示する第２の色印刷地と、を有し、
前記第１の印字領域、第２の印字領域および第３の印字領域に亘って抜き印字を行うことにより各々の色印刷地の色による文字の表示をしたことを特徴とする印字用ラベル。
【発明の詳細な説明】
【０００１】
【発明の属する技術分野】
本発明は印字用ラベルにかかるもので、とくに各種機械の銘板として、各種の仕様を表示するなどの機能を有する印字用ラベルに関するものである。
【０００２】
【従来の技術】
従来の印字用ラベルについて、これを機械の仕様銘板として用いた場合を例として説明する。
図７は、印字用ラベル１の平面図、図８は、図７のＶＩＩＩ−ＶＩＩＩ線断面図であって、印字用ラベル１は、帯状の台紙２と、この台紙２に仮着した複数枚のラベル片３と、を有する。
【０００３】
ラベル片３は、たとえば上質紙あるいはアルミニウム箔など任意の材料によりこれを製造するが、その裏面には粘着剤層４を設けて台紙２への仮着を可能とするとともに、その表面に印字領域５を設けてある。
印字領域５は、第１の印字領域６、第２の印字領域７（注意表示領域）、第３の印字領域８（警告表示領域）、および第４の印字領域９を有する。
【０００４】
第１の印字領域６には、製品名およびその特性などを表示する第１の印字内容１０を印字可能とし、第２の印字領域７は注意事項を表示する第２の印字内容１１を印字可能とし、第３の印字領域８には警告事項を表示する第３の印字内容１２を印字可能とし、第４の印字領域９には製品番号および販売元などを表示する第４の印字内容１３を印字可能としている。
【０００５】
こうした構成の印字用ラベル１において、印字領域５のそれぞれの第１の印字領域６、第２の印字領域７、第３の印字領域８および第４の印字領域９における、第１の印字内容１０、第２の印字内容１１、第３の印字内容１２および第４の印字内容１３が、通常の印字機（図示せず）では一色（一般的には黒色）であり、あるいは白黒を反転させた印字である。
したがって、とくに注意を喚起し、また警告を行いたい、第２の印字領域７および第３の印字領域８の第２の印字内容１１および第３の印字内容１２などの内容が、第１の印字内容１０および第４の印字内容１３に対して目立たないという問題がある。
【０００６】
なお、第２の印字内容１１および第３の印字内容１２について、需要者の注意を引くために多色印字を行おうと思えば、多色印字用の印字機を採用せざるを得ず、色分け印字の制御の複雑さと相俟って、印字コストの上昇を招くという問題がある。
【０００７】
【発明が解決しようとする課題】
本発明は以上のような諸問題にかんがみなされたもので、表示内容の一部を目立つようにすることができる印字用ラベルを提供することを課題とする。
【０００８】
また本発明は、多色印字を行ったと同様の機能を有することができる印字用ラベルを提供することを課題とする。
【０００９】
また本発明は、注意事項あるいは警告事項などをより目立つように色分け印字したように表示可能とすることができる印字用ラベルを提供することを課題とする。
【００１０】
【課題を解決するための手段】
すなわち本発明は、ラベル片の印字領域にあらかじめ色地を印刷して色印刷地としておくこと、この色印刷地に抜き印字を行って、地の色を浮き立たせるようにすることに着目したもので、所定の表示内容を印字するための印字領域を有し、各種の仕様を表示する印字用ラベルであって、前記印字領域には、第１の印字領域と第２の印字領域と第３の印字領域と第４の印字領域とを連接して設け、前記第２の印字領域に前記第１の印字領域と異なる色の色印刷をあらかじめ施した注意を表示するための第１の色印刷地と、前記第３の印字領域に前記第１の印字領域と異なる色の色印刷をあらかじめ施した警告を表示する第２の色印刷地と、を有し、前記第１の印字領域、第２の印字領域および第３の印字領域に亘って抜き印字を行うことにより各々の色印刷地の色による文字の表示をしたことを特徴とする印字用ラベルである。
【００１３】
本発明による印字用ラベルは、各種機械の仕様銘板はもちろん、小売り店用の値札ラベル、医療現場あるいは工場などにおける識別ラベル、その他任意の内容を表示するための表示ラベルとして応用することができる。
【００１４】
また、本発明による印字用ラベルは、粘着剤層を有する場合はもちろん、粘着剤層を有しない、いわゆる台紙なしラベルであってもよく、印字領域を有する任意の印字用ラベルに適用可能である。
【００１５】
さらに本発明による印字用ラベルに印字を行う印字機としても、熱転写サーマルプリンター、ワイヤードットプリンター、インクジェットプリンターその他任意の方式のプリンターを採用することができる。
【００１６】
本発明による印字用ラベルにおいては、ラベル片の印字領域の一部にあらかじめ他の部分とは異なる色による色地を印刷して色印刷地としておくこと、この色印刷地に抜き印字を行って、この色印刷地の色を浮き立たせるようにしたので、他の部分とは異なる色を表示することが可能となり、任意の色印刷を地に行うことにより、通常は黒色印字である他の部分とは異なる、任意の色の表示を可能とすることができるようになった。
したがって、多色印字機能を有する高価なかつ複雑さ操作を必要とする印字機を使用することなく、通常の一色印字（通常は黒色印字）の印字機のみで、表示に多様性を持たせることができる。
【００１７】
【発明の実施の形態】
つぎに本発明の第１の実施の形態による印字用ラベル２０を図１ないし図４にもとづき説明する。ただし、図７および図８と同様の部分には同一符号を付し、その詳述はこれを省略する。
図１は、印字用ラベル２０の平面図、図２は、図１のＩＩ−ＩＩ線断面図であって、印字用ラベル２０は、そのラベル片３における前記第２の印字領域７および第３の印字領域８の領域に、前記第１の印字領域６および第４の印字領域９とは異なる色の第１の色印刷地２１および第２の色印刷地２２をあらかじめ印刷してある（色印刷工程）。
【００１８】
すなわち、第１の色印刷地２１は、第１の印字領域６および第４の印字領域９の地の色（たとえばラベル片３が紙材なら白色、アルミニウム材なら灰色）とは異なる色、たとえば注意を喚起するために、黄色に印刷してある。
第２の色印刷地２２は、第１の印字領域６および第４の印字領域９の地の色（たとえばラベル片３が紙材なら白色、アルミニウム材なら灰色）とは異なる色、たとえば警告を表すために赤色に印刷してある。
【００１９】
図３は、この印字用ラベル２０に、任意の印字機（図示せず）により印字を行う状態を示す、図２と同様の断面図であって、たとえば、第１の印字領域６には黒色の印字をし、表示内容を透明に抜いた第１の抜き印字２３を行う。第２の印字領域７および第３の印字領域８にも同様の、黒色の印字をし、表示内容を透明に抜いた第２の抜き印字２４および第３の抜き印字２５をそれぞれ行える。第４の印字領域９には通常の黒色印字２６を行う。
【００２０】
すなわち、第１の抜き印字２３は、透明に抜いた第１の透明表示部２７を有し、第２の抜き印字２４は、透明に抜いた第２の透明表示部２８を有し、第３の抜き印字２５は、透明に抜いた第３の透明表示部２９を有することになる（抜き印字工程）。
なお、第１の印字領域６に第１の抜き印字２３を行うことは必須ではなく、第４の印字領域９と同様の通常の黒色印字２６を行うこととしてもよいもので、第２の印字領域７の第１の色印刷地２１および第３の印字領域８の第２の色印刷地２２に、それぞれ表示内容を透明に抜いた第２の抜き印字２４および第３の抜き印字２５を重ね合わせて印字可能であればよい。
【００２１】
こうした構成の印字用ラベル２０によれば、第１の色印刷地２１および第２の色印刷地２２の部分においてそれぞれ黄色および赤色の表示内容を浮き立たせて表示し、あたかもそこに黄色および赤色の印字が行われたかのように表示することができる。
【００２２】
すなわち図４は、図３に示したように印字した印字用ラベル２０の平面図であって、第１の印字領域６には、地の黒色の中に、地の白色あるいは灰色の表示内容が浮きでる。
第２の印字領域７には、地の黒色の中に、黄色による表示内容が浮きでるとともに、第３の印字領域８には、地の黒色の中に、赤色による表示内容が、浮きでる。
第４の印字領域９には、地の白色あるいは灰色の上に黒色の表示内容が表示されることになる。
【００２３】
かくして、通常内容の表示でかまわない第１の印字領域６および第４の印字領域９には通常の白色、灰色、さらには黒色による表示が行われ、注意ないし警告を行いたい第２の印字領域７および第３の印字領域８には黄色および赤色の表示がそれぞれ行われ、印字内容に多様性および注目性を持たせることが可能となる。
【００２４】
本発明による印字用ラベルは、色印刷地を単一領域とすることはもちろん、その数、形成位置、大きさ、形状、組み合わせ態様、さらに色の選択などは任意である。
【００２５】
たとえば、図５は、本発明の第２の実施の形態による印字用ラベル３０の平面図であって、印字用ラベル３０においては、色を三色として、たとえば黄色の第１の色印刷地３１と、たとえば赤色の第２の色印刷地３２と、たとえば青色の第３の色印刷地３３と、を形成してある。
【００２６】
図６は、本発明の第３の実施の形態による印字用ラベル４０の平面図であって、印字用ラベル４０においては、色を二色として、たとえば赤色の第１の色印刷地４１と、たとえば青色の第２の色印刷地４２と、を形成しているとともに、第２の色印刷地４２はこれを円形としてある。
【００２７】
図５の印字用ラベル３０および図６の印字用ラベル４０とすることにより、各種の形態に応じた表示内容を豊富なバリエーションを持って印字することが可能となる。
【００２８】
以上のように本発明によれば、ラベル片の印字領域の一部に色印刷地を形成しておくので、一般の印字機による抜き印字を行うことにより、その地の色の印字を行ったような表示を可能とし、注目を引くような印字を低コストで、かつ多様性を持って実現することができる。また、少なくとも２色の色印刷地を形成したので、注意事項と警告事項などを各々目立つように色分け印字したように表示することができる。
【図面の簡単な説明】
【図１】本発明の第１の実施の形態による印字用ラベル２０の平面図である。
【図２】同、図１のＩＩ−ＩＩ線断面図である。
【図３】同、印字用ラベル２０に、任意の印字機（図示せず）により印字を行う状態を示す、図２と同様の断面図である。
【図４】同、図３に示したように印字した印字用ラベル２０の平面図である。
【図５】本発明の第２の実施の形態による印字用ラベル３０の平面図である。
【図６】同、本発明の第３の実施の形態による印字用ラベル４０の平面図である。
【図７】従来の印字用ラベル１の平面図である。
【図８】図７のＶＩＩＩ−ＶＩＩＩ線断面図である。
【符号の説明】
１  印字用ラベル（図７）
２  帯状の台紙
３  ラベル片
４  粘着剤層
５  印字領域
６  第１の印字領域
７  第２の印字領域（注意表示領域）
８  第３の印字領域（警告表示領域）
９  第４の印字領域
１０  第１の印字内容
１１  第２の印字内容
１２  第３の印字内容
１３  第４の印字内容
２０  印字用ラベル（第１の実施の形態、図１）
２１  第１の色印刷地（黄色）
２２  第２の色印刷地（赤色）
２３  第１の抜き印字
２４  第２の抜き印字
２５  第３の抜き印字
２６  通常の黒色印字
２７  第１の抜き印字２３の第１の透明表示部
２８  第２の抜き印字２４の第２の透明表示部
２９  第３の抜き印字２５の第３の透明表示部
３０  印字用ラベル（第２の実施の形態、図５）
３１  第１の色印刷地（黄色）
３２  第２の色印刷地（赤色）
３３  第３の色印刷地（青色）
４０  印字用ラベル（第３の実施の形態、図６）
４１  第１の色印刷地（赤色）
４２  第２の色印刷地（青色）
【図１】
0004307610.tif 000002
【図２】
0004307610.tif 000003
【図３】
0004307610.tif 000004
【図４】
0004307610.tif 000005
【図５】
0004307610.tif 000006
【図６】
0004307610.tif 000007
【図７】
0004307610.tif 000008
【図８】
0004307610.tif 000009